(57)【特許請求の範囲】
【請求項１】
互いに開放された両端を有する金属製のバンドボディからなり、該バンドボディをリング状に丸めた状態でブーツの被締付面に装着することにより前記ブーツを接続相手部材に固定するブーツバンドにおいて、
前記バンドボディの外側重なり部に形成された係止孔と、
前記バンドボディの内側重なり部に形成された係止爪と、
前記バンドボディの一部に形成されていてリング状の該バンドボディの周長を縮める形状に塑性変形させることの可能な耳部とを具備し、
前記係止爪は、
前記バンドボディの厚み方向に突出しかつ前記係止孔に挿入される立上がり部と、
前記立上がり部から前記外側重なり部の先端に向かって延出する延長部とを有し、
前記延長部の長さは、前記係止爪が前記係止孔に挿入されかつ前記耳部が前記塑性変形されていない状態でかつ該バンドボディの内周長が被締付面の周長まで縮径した状態において該係止爪が前記係止孔から抜け出ることを阻止しかつ、前記ブーツが前記接続相手部材から外され該ブーツが内側に変形することによって該バンドボディが被締付面の周長以下の長さまで縮径された状態において前記係止爪が前記係止孔から抜け出ることを許容する寸法としたことを特徴とするブーツバンド。
【請求項２】
前記係止孔と前記係止爪がそれぞれ前記バンドボディの長手方向複数個所に形成され、かつ、これら係止爪が互いに同一形状であることを特徴とする請求項１記載のブーツバンド。
【請求項３】
前記バンドボディには前記係止爪以外に、凸部とこの凸部が挿入される凸部挿入孔が形成され、該凸部は前記バンドボディが縮径されるときに該凸部挿入孔の前縁部に当接することによって該バンドボディの長手方向に加わる張力を支持する支持壁を有していることを特徴とする請求項１記載のブーツバンド。
【発明の詳細な説明】
【０００１】
【発明の属する技術分野】
本発明は、ゴムあるいは樹脂などからなるブーツを接続相手部材に固定するために用いるブーツバンドに関する。
【０００２】
【従来の技術】
自動車等の一部品として、ゴムあるいは樹脂などからなるブーツが使われている。この明細書で言うブーツは、蛇腹状の樹脂ブーツをはじめとして、ホースあるいはチューブ等の円筒形の部材も含む。このブーツを接続相手部材に固定するために、金属製のブーツバンドが従来より用いられてきた。この種のブーツバンドとして、例えば特許第１８１８５５９号に記載されているように、互いに開放された両端を有する金属製のバンドボディをリング状に丸めた状態で被締付面に装着するものが知られている。
【０００３】
例えば図１６に示される従来のブーツバンド１は、リング状に丸める帯状の金属製バンドボディ２を有している。バンドボディ２の外側重なり部２ａに形成された係止孔３に、内側重なり部２ｂに形成された係止爪４を引っ掛けるようにしている。バンドボディ２の周方向の一部には、バンドボディ２の周長を縮める形状に塑性変形させることの可能な耳部５が設けられている。このブーツバンド１は、係止爪４を係止孔３に挿入し、ブーツ６の被締付面６ａに置いたのち、耳部５を塑性変形させている。ブーツ６の内側には金属等の硬質の接続相手部材７が存在するため、ブーツ６の外径が縮むことが抑制されている。
【０００４】
この種のブーツバンド１は、係止爪４を係止孔３に係合させたままでは被締付面６ａへ通すことができない場合に、係止爪４を係止孔３から外した状態で被締付面６ａに位置させ、その状態から係止爪４を係止孔３に係合させることができるようにしている。そのために、図１７中に矢印Ａ，Ｂで示すように、被締付面６ａ上で係止爪４を係止孔３に挿入したり、係止爪４を係止孔３から外したりできるように係止爪４の形状等が設計されていた。しかしこの場合、以下に述べるような問題が生じた。
【０００５】
【発明が解決しようとする課題】
ブーツバンド１の耳部５をかしめる自動組付機においては、図１６に示すようにブーツバンド１を被締付面６ａに置いたのち、ブーツ６を図１７に示す矢印Ｃ方向に回転させることにより、耳部５を固定側治具８に当接させる。そののち、図示しないかしめ治具によって耳部５を塑性変形させる。
【０００６】
しかしブーツ６をＣ方向に回転させる際に、ブーツ６とバンドボディ２との間の摩擦力が大きいと、耳部５が固定側治具８に当接したのち、さらにブーツ６が矢印Ｃ方向に回転したときに、バンドボディ２の周長が短くなる方向に内側重なり部２ｂが移動することがある。この場合、係止爪４が係止孔３から抜けてしまうおそれがある。こうして係止爪４が係止孔３から抜けると、図１７中に２点鎖線で示すように外側重なり部２ａが内側重なり部２ｂから離れてしまったり、バンドボディ２が被締付面６ａの所定位置からずれてしまうなど、自動組付機が停止する原因となる。
【０００７】
なお、特公平８−３０４８４号公報に記載されているバンドにおいて、帯状部材に形成された支持突起を孔に挿入したのち、この支持突起を帯状部材の幅方向に曲げる（かしめる）ことにより、内側重なり部と外側重なり部が離れないようにしたものも実施されている。しかしこの種のバンドは、耳部を変形させる工程以外に支持突起をかしめる工程が必要であり、加工工数が多くコストが高いという問題があった。また、支持突起をかしめた後は、このバンドを被締付面から外したり、外したバンドを再び被締付面に置き直すことができなくなるため、作業性に問題を生じることがある。
【０００８】
従ってこの発明の目的は、組付けの際に被締付面から外れることがなく、しかも必要に応じて被締付面から外したり、外したバンドを被締付面に置き直すことができるブーツバンドを提供することにある。
【０００９】
【課題を解決するための手段】
上記の目的を果たすための本発明のブーツバンドは、バンドボディの外側重なり部に形成された係止孔と、前記バンドボディの内側重なり部に形成された係止爪と、前記バンドボディの一部に形成されていてリング状の該バンドボディの周長を縮める形状に塑性変形させることの可能な耳部とを具備し、前記係止爪は、バンドボディの厚み方向に突出しかつ前記係止孔に挿入される立上がり部と、前記立上がり部から前記外側重なり部の先端に向かって延出する延長部とを有し、前記延長部の長さは、前記係止爪が前記係止孔に挿入されかつ前記耳部が前記塑性変形されていない状態でかつ該バンドボディの内周長が被締付面の周長まで縮径した状態において該係止爪が前記係止孔から抜け出ることを阻止しかつ、前記ブーツが接続相手部材から外され該ブーツが内側に変形することによって該バンドボディが被締付面の周長以下の長さまで縮径された状態において前記係止爪が前記係止孔から抜け出ることを許容する寸法としている。
【００１０】
接続相手部材にブーツが嵌合している状態では、このブーツはその内側の接続相手部材によって縮径することが阻止されると同時に、ブーツが接続相手部材によって若干拡径される。このブーツを接続相手部材から外せば、ブーツは接続相手部材による拡径が解除されかつ、ブーツ自体の可撓性により径方向に弾性変形することが可能となる。本発明のブーツバンドは、ブーツを接続相手部材から外した状態にし、係止爪を係止孔に係合させ、ブーツを多少変形させながらブーツをくぐらせることにより、被締付面に置くことができる。このブーツバンドを被締付面から外す場合も、ブーツを接続相手部材から外した状態にし、係止爪を係止孔に係合させたまま、ブーツを多少変形させることにより、ブーツバンドをブーツから外すことができる。
【００１１】
ブーツを接続相手部材に嵌合させたのち、耳部をかしめる前にバンドボディの周長が短くなる方向に力が加わったとしても、係止爪の延長部が外側重なり部の外面に引っ掛かる。このため本発明のブーツバンドは、係止爪が係止孔から抜けることが回避される。こうしてブーツの被締付面に置かれたのち、耳部を塑性変形させてバンドボディの周長を縮めることによって、被締付面を緊縛する。
【００１２】
本発明のブーツバンドにおいて、前記係止孔と前記係止爪がそれぞれバンドボディの長手方向複数個所に形成され、これら係止爪が互いに同一形状であってもよい。あるいは本発明のブーツバンドにおいて、前記係止爪以外に、凸部と、この凸部が挿入される凸部挿入孔が形成され、この凸部は前記バンドボディが縮径されるときに前記凸部挿入孔の前縁部に当接することによって該バンドボディの長手方向に加わる張力を支持する支持壁を有していてもよい。
【００１３】
【発明の実施の形態】
以下に本発明のブーツバンドの一実施形態について、図１から図１１を参照して説明する。
図１に示すブーツバンド１０は、金属（例えばステンレス鋼）製の帯状部材からなるバンドボディ１１を有している。バンドボディ１１の長手方向の両端は、開放された第一端１３と第二端１４となっている。このバンドボディ１１は、図２に示すように、第一端１３が外側に位置するようにリング状に丸められる。
【００１４】
ブーツ１７の一例は、図１０に示すような自動車の動力伝達系のジョイント部１８に設ける蛇腹状の樹脂製ブーツである。ブーツ１７の一端１７ａは、ブーツバンド１０によってジョイント部１８の接続相手部材１８ａに固定される。このブーツバンド１０は、ブーツ１７の被締付面１９に装着される。金属製の接続相手部材１８ａは、ブーツバンド１０の緊縛力程度では変形しない剛体である。これに対し、ブーツ１７は弾性変形することが可能である。
【００１５】
ブーツ１７の他端１７ｂは、この実施形態で説明するブーツバンド１０よりも小径なブーツバンド１０′によって軸部材１８ｂに固定される。小径側のブーツバンド１０′の構成は基本的に大径側のブーツバンド１０と共通であるため、この明細書では大径側のブーツバンド１０について説明する。
【００１６】
図２に示すようにリング状に丸めたバンドボディ１１は、第一端１３側に位置する外側重なり部２１と、第二端１４側に位置する内側重なり部２２と、これら重なり部２１，２２間に位置する長手方向中間部２３（重なり合わない部分）とを有している。バンドボディ１１は、予めある程度リング状に成形されていると良い。
【００１７】
バンドボディ１１の長手方向の一部に締付用の耳部３０が形成されている。耳部３０は、バンドボディ１１の外周側に立上がる前後一対の脚部３１，３２と、これら脚部３１，３２間にわたる架橋部３３とを含み、図９に示すように塑性変形させたとき（かしめたとき）にバンドボディ１１の周長を縮めることのできる形状となっている。かしめ後の耳部３０の剛性を高めるために、架橋部３３の両側にそれぞれリブ状部分３４が形成されている。
【００１８】
図３および図４等に示すように、バンドボディ１１の外側重なり部２１の第一端１３寄りの部位には、バンドボディ１１の長手方向複数箇所（例えば２箇所）に係止孔４０が形成されている。これら係止孔４０はバンドボディ１１を板厚方向に貫通している。図４および図５に示すように係止孔４０の前縁部４０ａの周囲は、コイニング加工によってテーパ面４２が形成されている。
【００１９】
内側重なり部２２には、各係止孔４０と対応した位置に、複数（図示例は２箇所）の係止爪４１が形成されている。各係止爪４１は外側重なり部２１に向って突出し、それぞれ対応する係止孔４０に挿入できるようになっている。これらの係止爪４１は、それぞれバンドボディ１１の厚み方向に突出する立上がり部４５と、この立上がり部４５から外側重なり部２１の先端（第一端１３）に向かって延出する延長部４６とを有している。
【００２０】
立上がり部４５の前面４５ａは、第一端１３の方向を指向して突き出るように斜めにオーバーハングした形状である。この係止爪４１は、立上がり部４５の前面４５ａが係止孔４０の前縁部４０ａに係合した状態において、テーパ面４２とも接することにより、外側重なり部２１が内側重なり部２２から離れることを阻止する。
【００２１】
延長部４６の長さＬは、バンドボディ１１の内周長が被締付面１９の周長に相当する長さまで縮径した状態において、係止爪４１が係止孔４０から抜け出ることを阻止する寸法としている。しかもこの延長部４６の長さＬは、図６に示すように、バンドボディ１１が被締付面１９（図１に示す）の周長以下の長さまで縮径されたときに、係止爪４１が係止孔４０から抜け出ることを許容する寸法である。
【００２２】
次に、前記ブーツバンド１０の組付手順等について説明する。
図２に示すように、外側重なり部２１の内側に内側重なり部２２が重なるようにバンドボディ１１を丸め、係止爪４１を係止孔４０に挿入する。このときバンドボディ１１は、それ自体の弾性復元力によって巻き径が広がろうとする。このため係止爪４１の立上がり部４５の前面４５ａが外側重なり部２１の外表面を押さえるようになり、バンドボディ１１の巻き径がそれ以上広がることが阻止される。こうしてこのブーツバンド１０は、図２に示すように閉じたリング状に保たれる。
【００２３】
図１に示すようにブーツ１７が接続相手部材１８ａに嵌合している状態では、ブーツ１７は接続相手部材１８ａによって縮径することが阻止されると同時に、ブーツ１７は接続相手部材１８ａによって若干拡径される。しかも被締付面１９の前後には、図１０に示すように被締付面１９よりも外径の大きいフランジ部１９ａ，１９ｂが存在している。このため係止爪４１を係止孔４０に係合させたブーツバンド１０は、被締付面１９のフランジ部１９ａ，１９ｂをくぐらせることができない。
【００２４】
そこでブーツ１７を接続相手部材１８ａから外した状態にしておく。こうすることにより、この状態ではブーツ１７は接続相手部材１８ａによって拡径されることがなくなり、かつ、ブーツ１７自体の可撓性により径方向に弾性変形することが可能となる。図７に示すようにブーツバンド１０を内側に弾性変形させながら、ブーツ１７をくぐらせることにより、フランジ部１９ａ（または１９ｂ）をくぐらせつつ、ブーツバンド１０を被締付面１９に嵌めることができる。
【００２５】
こうしてブーツバンド１０を被締付面１９に置いたのち、自動組付機においては、図８に矢印Ｃで示す方向にブーツ１７と接続相手部材１８ａを回転させることにより、耳部３０を固定側治具５０に当接させることによって位置決めが行われる。
【００２６】
耳部３０が固定側治具５０に当接したのちに、ブーツバンド１０とブーツ１７との間の摩擦によってバンドボディ１１が縮径する方向に内側重なり部２２が移動しても、図８に示すように係止爪４１の延長部４６が外側重なり部２１を押さえることになる。このため、バンドボディ１１の外側重なり部２１が内側重なり部２２から離れることが阻止される。このブーツバンド１０は被締付面１９の所定位置において閉じたリング状に保たれる。
【００２７】
そののち、図９に示すように耳部３０をかしめ治具（図示せず）によって塑性変形させ、バンドボディ１１の周長を縮めることによって、被締付面１９を緊縛する。こうしてブーツ１７が接続相手部材１８ａに固定される。
【００２８】
このようにこの実施形態のブーツバンド１０は、耳部３０を塑性変形させる前にバンドボディ１１の周長が短くなる方向に力が加わったとしても、係止爪４１が係止孔４０から抜けることを回避できる。このため耳部３０をかしめるための自動組付機等において、組付け工程の途中で外側重なり部２１が広がったり、ブーツバンド１０の位置がずれてしまうなどの不具合を防止でき、自動組付機が停止する原因をなくすことができる。
【００２９】
そして耳部３０をかしめる前にブーツバンド１０を被締付面１９から外す必要が生じた場合には、図１１に示すようにブーツ１７を接続相手部材１８ａから外したのち、図７に示すようにブーツ１７を内側に弾性変形させながら、ブーツバンド１０を被締付面１９から外すことができる。
【００３０】
以上説明した一実施形態のブーツバンド１０は、係止孔４０と係止爪４１がそれぞれバンドボディ１１の長手方向複数個所に形成され、かつ、これら係止孔４０と係止爪４１がそれぞれ互いに同一形状となっている。こうすることにより、大きな引き締め荷重に耐えることができ、かつ外側重なり部２１と内側重なり部２２とを互いに確実に重ねておくことができる。
【００３１】
なお、図１２と図１３に示す第２の実施形態のブーツバンド１０Ａのように、係止孔４０と係止爪４１以外に、凸部６０と、凸部６０が挿入される凸部挿入孔６１が形成されていてもよい。この凸部６０は、凸部挿入孔６１の前縁部６１ａに当接可能な支持壁６２を有し、耳部３０をかしめたときにバンドボディ１１の長手方向に加わる引き締め力を、支持壁６２によって支持するようにしている。このブーツバンド１０Ａのそれ以外の構成と作用は前記第１の実施形態と同じである。係止爪４１の延長部４６の長さＬは、バンドボディ１１の内周長が被締付面の周長相当距離まで縮径した状態において、係止爪４１が係止孔４０から抜け出ることを阻止する寸法である。
【００３２】
また図１４と図１５に示す第３の実施形態のブーツバンド１０Ｂのように、係止孔４０と係止爪４１以外に、ダボ状に打出された凸部７０と、凸部７０が挿入される凸部挿入孔７１が形成されていてもよい。この凸部７０は、凸部挿入孔７１の前縁部７１ａに当接可能な支持壁７２を有し、耳部３０をかしめたときにバンドボディ１１の長手方向に加わる引き締め力を、支持壁７２によって支持するようにしている。それ以外の構成は前記第２の実施形態と同じである。
【００３３】
これらの実施形態をはじめとして、この発明を実施するに当たり、バンドボディやブーツの形態、耳部や係止孔および係止爪の形状、立上がり部や延長部の形態、係止爪や係止孔の数など、この発明の構成要素を必要に応じて適宜に変形して実施できることは言うまでもない。
【００３４】
【発明の効果】
請求項１に記載した発明によれば、ブーツバンドを被締付面に置いた状態において、耳部を塑性変形させる前に、バンドボディの周長が短くなる方向に力が加わっても、係止爪が係止孔から抜け出ることが阻止される。このため、例えば、ブーツバンドの耳部をかしめる自動組付機等において、耳部をかしめる前にブーツバンドが被締付面から外れてしまうことを回避できる。また、必要に応じて耳部をかしめる前にブーツバンドを被締付面から外すこともできるし、ブーツバンドを被締付面に置くこともできる。
【００３５】
請求項２に記載した発明によれば、互いに同一の形状の複数の係止爪を、それぞれ係止孔に係合させることによって、大きな引き締め荷重に耐えることができる。
請求項３に記載した発明によれば、前記係止爪の延長部によって係止爪の外れ止めがなされるとともに、この係止爪とは別に形成された凸部の支持壁によって大きな引き締め荷重に耐えることができる。
【図面の簡単な説明】
【図１】  この発明の第１の実施形態を示すブーツバンドとブーツと接続相手部材の断面図。
【図２】  図１に示されたブーツバンドの断面図。
【図３】  図１に示されたブーツバンドの係止孔に係止爪を係合させた状態の斜視図。
【図４】  図１に示されたブーツバンドの係止孔から係止爪を外した状態の斜視図。
【図５】  図１に示されたブーツバンドの係止孔付近の断面図。
【図６】  図１に示されたブーツバンドが縮径した状態の断面図。
【図７】  図１に示されたブーツバンドおよび変形させたブーツを示す断面図。
【図８】  図１に示されたブーツバンドの耳部を治具によって位置決めした状態を示す断面図。
【図９】  図１に示されたブーツバンドの耳部をかしめた状態の断面図。
【図１０】  ブーツと接続相手部材を示す断面図。
【図１１】  図１０に示されたブーツを接続相手部材から外した状態の断面図。
【図１２】  本発明の第２の実施形態を示すブーツバンドの一部の平面図。
【図１３】  図１２中のＦ１３−Ｆ１３線に沿う断面図。
【図１４】  本発明の第３の実施形態を示すブーツバンドの一部の平面図。
【図１５】  図１４中のＦ１５−Ｆ１５線に沿う断面図。
【図１６】  従来のブーツバンドを示す断面図。
【図１７】  図１６に示されたブーツバンドが縮径した状態の断面図。
【符号の説明】
１０，１０Ａ，１０Ｂ…ブーツバンド
１１…バンドボディ
１７…ブーツ
１９…被締付面
２１…外側重なり部
２２…内側重なり部
３０…耳部
４０…係止孔
４１…係止爪
４５…立上がり部
４６…延長部
６０，７０…凸部
６１，７１…凸部挿入孔
６２，７２…支持壁
【図１】
0004410395.tif 000002
【図２】
0004410395.tif 000003
【図３】
0004410395.tif 000004
【図４】
0004410395.tif 000005
【図５】
0004410395.tif 000006
【図６】
0004410395.tif 000007
【図７】
0004410395.tif 000008
【図８】
0004410395.tif 000009
【図９】
0004410395.tif 000010
【図１０】
0004410395.tif 000011
【図１１】
0004410395.tif 000012
【図１２】
0004410395.tif 000013
【図１３】
0004410395.tif 000014
【図１４】
0004410395.tif 000015
【図１５】
0004410395.tif 000016
【図１６】
0004410395.tif 000017
【図１７】
0004410395.tif 000018